【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
幾つかの導波管共振器を有するフィルター（１００，２００，３００）であって、
上記導波管共振器として機能する複数のキャビティ（Ｃ１〜Ｃ９）を備え、上記キャビティ（Ｃ１〜Ｃ９）は、上記フィルター（１００，２００，３００）の少なくとも２つのレベル（ｘ１，ｙ１；ｘ２，ｙ２）上に配置され、
上記キャビティ（Ｃ１〜Ｃ９）のうちの第１キャビティ（Ｃ１）と第２キャビティ（Ｃ２）との間の壁（１１．２）に第１開口（１１.１）を備え、上記第１開口（１１.１）は、上記第１キャビティ（Ｃ１）と上記第２キャビティ（Ｃ２）の間の容量性接合として機能し、
上記キャビティ（Ｃ１〜Ｃ９）のうちの第３キャビティ（Ｃ３）と第４キャビティ（Ｃ４）との間のもう一つの壁（１２．２）に第２開口（１２.１）を備え、上記第２開口（１２.１）は、上記第３キャビティ（Ｃ３）と上記第４キャビティ（Ｃ４）の間の誘電性接合として機能するフィルターにおいて、
上記フィルター（１００，２００，３００）は、少なくとも２つのプラスチック成形されたフィルター部品（３０１，３０２，３０３）を有するフィルターアセンブリ（１００，２００，３００）であって、上記フィルター部品（３０１，３０２，３０３）は、上記フィルター部品（３０１，３０２，３０３）が組立てられたときに、キャビティ（Ｃ１〜Ｃ９）を形成し、
上記プラスチック成形されたフィルター部品（３０１，３０２，３０３）は、少なくとも部分的に金属層によって覆われていることを特徴とするフィルター。
【請求項２】
請求項１に記載のフィルター（１００，２００，３００）において、
入力ポートまたは出力ポートとして機能するチョーク構造（ポートＣ）を備えていることを特徴とするフィルター。
【請求項３】
請求項１または２に記載のフィルター（１００，２００，３００）において、
上記第１開口（１１.１）は、上記第１キャビティ（Ｃ１）と上記第２キャビティ（Ｃ２）との間の結合強度を画定するサイズを有するアイリスであり、上記結合は主としてＥフィールド結合であることを特徴とするフィルター。
【請求項４】
請求項１または２に記載のフィルター（１００，２００，３００）において、
上記第２開口（１２.１）はアパチャであり、上記結合は主としてＨフィールド結合であることを特徴とするフィルター。
【請求項５】
請求項１乃至４のうちのいずれか１つに記載のフィルター（１００，２００，３００）において、
上記２つのレベルのうちの第１レベル（ｘ１，ｙ１）のキャビティ（Ｃ１）の幾つかは、上記２つのレベルのうちの第２レベル（ｘ２，ｙ２）のキャビティ（Ｃ２）の幾つかの上に積重されることを特徴とするフィルター。
【請求項６】
請求項５に記載のフィルター（１００，２００，３００）において、
上記第１開口（１１.１）は、上記２つのレベル（ｘ１，ｙ１；ｘ２，ｙ２）を分離する壁（１１.２）に配置され、
上記第２開口（１２.１）は、上記２つのレベルのうちの１つのレベル（ｘ１，ｙ１）のなかの壁（１２.２）に配置されていることを特徴とするフィルター。
【請求項７】
請求項１乃至６のいずれか１つに記載のフィルター（３００）において、
上記フィルター（３００）のポート（ポートＣ）或いはその近傍に配置されたＴ接合（３１０）、好ましくは、Ｈ面導波管接合を備えていることを特徴とするフィルター。
【請求項８】
請求項７に記載のフィルター（３００）において、
上記Ｔ接合（３１０）に供給する２つの帯域通過ブランチを備えていることを特徴とするフィルター。
【請求項９】
請求項１乃至８のうちのいずれか１つに記載のフィルター（１００，２００，３００）において、
ダイプレクス・フィルタとして機能することを特徴とするフィルター。
【請求項１０】
請求項１乃至９のうちのいずれか１つに記載のフィルター（１００，２００，３００）において、
ギガヘルツの周波数範囲またはそれ以上の周波数で作動するように設計されていることを特徴とするフィルター。
【請求項１１】
ギガヘルツの周波数範囲またはそれ以上の周波数で作動するように設計されている通信システム（４００）であって、上記通信システム（４００）は、フロントエンドモジュール（４０１）と高利得アンテナ（４０２）とフィルター（３００）とを備え、
上記フィルター（３００）は、
導波管共振器として機能する複数のキャビティ（Ｃ１〜Ｃ９）を備え、上記キャビティ（Ｃ１〜Ｃ９）は、上記フィルター（３００）の少なくとも２つのレベル（ｘ１，ｙ１；ｘ２，ｙ２）上に配置され、
上記キャビティ（Ｃ１〜Ｃ９）のうちの第１キャビティ（Ｃ１）と第２キャビティ（Ｃ２）との間の壁（１１．２）に第１開口（１１.１）を備え、上記第１開口（１１.１）は、上記第１キャビティ（Ｃ１）と上記第２キャビティ（Ｃ２）の間の容量性接合として機能し、
上記キャビティ（Ｃ１〜Ｃ９）のうちの第３キャビティ（Ｃ３）と第４キャビティ（Ｃ４）との間のもう一つの壁（１２．２）に第２開口（１２.１）を備え、上記第２開口（１２.１）は、上記第３キャビティ（Ｃ３）と上記第４キャビティ（Ｃ４）の間の誘電性接合として機能する通信システム（４００）において、
上記フィルター（１００，２００，３００）は、少なくとも２つのプラスチック成形されたフィルター部品（３０１，３０２，３０３）を有するフィルターアセンブリ（１００，２００，３００）であって、上記フィルター部品（３０１，３０２，３０３）は、上記フィルター部品（３０１，３０２，３０３）が組立てられたときに、キャビティ（Ｃ１〜Ｃ９）を形成し、
上記プラスチック成形されたフィルター部品（３０１，３０２，３０３）は、少なくとも部分的に金属層によって覆われていることを特徴とする通信システム。
【請求項１２】
請求項１１に記載の通信システム（４００）において、
上記フィルター（３００）は、ポートとして機能するチョーク構造（ポートＣ）を備えていることを特徴とする通信システム。
【請求項１３】
請求項１１または１２に記載の通信システム（４００）において、
上記フィルター（３００）は、上記高利得アンテナ（４０２）に取り付けられていることを特徴とする通信システム。
【請求項１４】
請求項１３に記載の通信システム（４００）において、
上記チョーク構造（ポートＣ）は、上記高利得アンテナ（４０２）に対して非ガルバニック接触を提供することを特徴とする通信システム。
【請求項１５】
数個の導波管共振器を有するフィルター（１００，２００，３００）を製造する方法において、
多数のプラスチック成形部品を製造するために使用できる工具を用いて、キャビティを有する中央のプラスチック成形部品を含むフィルターアセンブリの完全に嵌合する２または３個のプラスチック成形部品を射出成形するステップと、
上記フィルターアセンブリの上記プラスチック成形部品を組み立てる前に、上記プラスチック成形部品が金属層によって少なくとも部分的に覆われるように金属化するステップと、
圧入嵌合アセンブリ法によって上記プラスチック成形部品を組み立てるステップと
を備え、
上記フィルター（１００，２００，３００）は、上記フィルター（３００）の少なくとも２つの上記フィルター（３００）の少なくとも２つのレベル（ｘ１，ｙ１；ｘ２，ｙ２）上に配置された複数のキャビティ（Ｃ１〜Ｃ９）を備えることを特徴とするフィルターを製造する方法。
【請求項１６】
請求項１５に記載の方法において、
上記金属化のために、金属めっき或いは金属溶着技術が用いられることを特徴とする方法。
【請求項１７】
請求項１５に記載の方法において、
高性能熱可塑性プラスチックが上記射出成形に使用されることを特徴とする方法。